(57)【要約】【課題】ディスプレイに表示するコンテンツの編成にかかるコストを低く抑えながら、そのコンテンツの編成の自由度を向上させることが可能な表示システムを提供する。【解決手段】ディスプレイ上の複数の分割領域毎に、それぞれ異なるコンテンツを表示するための表示制御装置４ａ〜４ｃであって、複数の分割領域毎に対応して設けられ、複数の分割領域毎の表示をそれぞれ独立に制御する複数の表示制御部４２ａ〜４２ｄを有し、複数の表示制御部４２ａ〜４２ｄの各々は、複数の分割領域毎の表示スケジュールデータに基づいて、自身に対応する分割領域に表示するためのコンテンツ表示用データを生成し、生成したコンテンツ表示用データに基づいて、ＯＳがコンテンツの表示を行う。【選択図】  図３
2004198796.tif 000002
【特許請求の範囲】
【請求項１】
ディスプレイ上の複数の分割領域毎に、それぞれ異なるコンテンツを表示するための表示システムであって、
前記複数の分割領域毎に対応して設けられ、前記複数の分割領域毎の表示をそれぞれ独立に制御する複数の表示制御部を有し、
前記複数の表示制御部の各々は、前記複数の分割領域毎の表示スケジュールデータに基づいて、自身に対応する分割領域に表示するためのコンテンツ表示用画像データを生成する表示システム。
【請求項２】
請求項１記載の表示システムであって、
前記複数の表示制御部には、ＨＴＭＬで記述されたコンテンツから前記コンテンツ表示用画像データを生成するものと、流動表示用のコンテンツから前記コンテンツ表示用画像データを生成するものとを含む表示システム。
【請求項３】
請求項１又は２記載の表示システムであって、
前記複数の分割領域毎の表示スケジュールデータには、前記複数の分割領域毎の形状を任意時間帯毎に指定する形状指定データを含む表示システム。
【請求項４】
請求項１〜３のいずれか記載の表示システムであって、
前記複数の表示制御部の各々は、自身に対応する分割領域の表示スケジュールデータに基づくコンテンツ表示用画像データの生成中に、前記表示スケジュールデータとは異なる表示スケジュールデータが入力された場合、前記異なる表示スケジュールデータに基づくコンテンツ表示用画像データの生成を優先的に行う表示システム。
【請求項５】
請求項１〜４のいずれか記載の表示システムであって、
前記複数の分割領域毎の表示スケジュールデータを指定する指定データを外部サーバから受信する受信手段と、
前記受信手段で受信した指定データによって指定される表示スケジュールデータを取得する取得手段とを有し、
前記複数の表示制御部の各々は、前記取得手段で取得された、自身に対応する分割領域の表示スケジュールデータに基づいて、前記コンテンツ表示用画像データを生成する表示システム。
【請求項６】
請求項５記載の表示システムであって、
前記表示スケジュールデータは、前記取得手段からアクセス可能な外部データベースに記録されており、
前記取得手段は、前記外部データベースから、前記表示スケジュールデータを取得する表示システム。
【請求項７】
請求項５記載の表示システムであって、
前記表示スケジュールデータを記録するデータベースを有し、
前記取得手段は、前記データベースから、前記表示スケジュールデータを取得する表示システム。
【請求項８】
請求項５〜７のいずれか記載の表示システムであって、
前記指定データは、前記外部サーバ内に、前記ディスプレイの設置される位置に応じて複数種類記録されており、
前記受信手段は、前記複数種類の指定データの中から前記ディスプレイの設置される位置に応じて選択された指定データを受信する表示システム。
【請求項９】
請求項５〜８のいずれか記載の表示システムを少なくとも１つ有するシステムに用いるサーバであって、
任意タイミングで、前記指定データを記録する指定データ記録部から、前記任意タイミングに基づいて選択した指定データを取得する指定データ取得手段と、
前記指定データ取得手段によって取得した指定データを、前記少なくとも１つの表示システムの各々に送信する送信手段とを備えるサーバ。
【請求項１０】
請求項８記載の表示システムを少なくとも１つ有するシステムに用いるサーバであって、
前記少なくとも１つの表示システムの各々によるコンテンツ表示先のディスプレイの設置場所情報を記録する記録部から、前記ディスプレイの設置場所情報を取得する設置場所情報取得手段と、
前記指定データを前記ディスプレイの設置場所に応じて複数種類記録する指定データ記録部と、
前記複数種類の指定データの中から、前記設置場所情報取得手段により取得した設置場所情報に応じて選択した指定データを取得する指定データ取得手段と、前記指定データ取得手段により取得した指定データを、前記指定データに対応する場所の表示システムに送信する指定データ送信手段とを備えるサーバ。
【請求項１１】
ディスプレイ上の複数の分割領域毎に、それぞれ異なるコンテンツを表示するための表示システムを、コンピュータにより管理するための管理プログラムであって、
前記表示システムは、前記複数の分割領域毎に対応し、前記複数の分割領域毎の表示をそれぞれ独立に制御する複数の表示制御プログラムを有し、
前記複数の分割領域毎の表示スケジュールデータを、前記複数の表示制御プログラムの各々に対応付けるステップを有する管理プログラム。
【請求項１２】
コンピュータを請求項９又は１０記載のサーバとして機能させるためのプログラム。
【発明の詳細な説明】
【０００１】
【発明の属する技術分野】
本発明は、ディスプレイ上の複数の分割領域毎に、それぞれ異なるコンテンツを表示するための表示システムに関する。
【０００２】
【従来の技術】
従来から、繁華街のビルボード、駅構内、及び店舗内等の大勢の人が集まるような場所にディスプレイを配置し、このディスプレイに広告映像やニュース情報等のコンテンツを表示させることで、大勢の人に情報を提供するという手法が行われている。
【０００３】
ディスプレイの表示を制御する従来の表示制御装置では、例えば、ブラウザが、ＨＴＭＬ（Hyper Text Markup Language）で記述されたコンテンツデータをデータベースから読み出し、このコンテンツデータからコンテンツ表示用の画像データを生成し、生成した画像データに基づく画像を、表示制御装置のＯＳ（Operating System）によりディスプレイ上に表示（描画）することで上記情報の提供が可能となっている。
【０００４】
又、複数の情報を効率良く表示する為に、ディスプレイ上の表示領域をＨＴＭＬで定義された複数のフレームに分割することが可能であり、フレーム毎に異なるコンテンツが表示できるようになっている。各フレームの表示形態は様々であり、映像を表示したり、ニュース情報や株価情報等を文字としてスクロールさせて表示したりするものがある。
【０００５】
更に、フレームの形状や各フレームの表示内容を任意のタイミングで変更することも可能であり、時間帯に応じてディスプレイのフレームレイアウトや表示内容を変更することで、多種多様なコンテンツの表示が可能となっている。
【０００６】
従来の表示制御装置は、ディスプレイ上の複数の分割領域に表示するコンテンツを１つのＨＴＭＬページで定義したコンテンツデータとしてブラウザ等を用いて表示しているものであり、表示制御装置が、ブラウザに任意のタイミングで新しいＨＴＭＬコンテンツデータを読み込ませ、新しいＨＴＭＬコンテンツデータをディスプレイ上に表示させることで、上記フレームレイアウトや表示内容の変更が実現されている。
【０００７】
【特許文献１】
特開平８−３０２５３号公報
【０００８】
【発明が解決しようとする課題】
上記従来の表示制御装置は、ディスプレイ上の複数の分割領域内のコンテンツを、まとめて１つのＨＴＭＬコンテンツデータとして構成して表示させているものである為、ディプレイ上の複数の分割領域内のうち、１つの分割領域の表示だけを変更する場合には、現在表示中のＨＴＭＬに基づくコンテンツデータを、一旦、新しいＨＴＭＬに基づくコンテンツデータに更新しなければならなかった。
【０００９】
例えば、ニュース情報等が流動表示されているようなフレームを含むＨＴＭＬ画面では、ＨＴＭＬに基づくコンテンツが新しいコンテンツに更新されてしまうと、ＨＴＭＬ画面全体が更新されてしまうため、上記ニュース情報の流動表示は再び最初から行われることになり、ディスプレイを閲覧しているユーザに不快感を与えてしまうことになってしまう。
【００１０】
又、従来では、ＨＴＭＬで定義された複数のフレーム毎に、表示スケジュール（どの時刻に、どれ位の時間、どういったフレームサイズで、どの情報を表示するかを指定するスケジュール）を予め細かく定めておき、その表示スケジュールにしたがってフレーム毎に表示内容を独立に変更していくことで、自由度の高いコンテンツの編成が可能である。
【００１１】
しかしながら、フレーム毎に表示スケジュールを定めようとした場合、複数のフレーム毎の表示スケジュールの定義を全て１つのＨＴＭＬページ内で行う必要があり、その定義を設定する作業が非常に複雑である。このため、フレーム毎に表示スケジュールを定める作業には莫大な時間と労力を要し、ディスプレイ上に表示するコンテンツの編成に要するコストが大きくなってしまうという問題点がある。
【００１２】
本発明は、上記事情に鑑みて為されたものであり、ディスプレイ上に表示するコンテンツの編成にかかるコストを低く抑えながら、コンテンツの編成の自由度を向上させることが可能な表示システム及び該表示システムを管理する管理プログラムを提供することを目的とする。
【００１３】
【課題を解決するための手段】
本発明の表示システムは、ディスプレイ上の複数の分割領域毎に、それぞれ異なるコンテンツを表示するための表示システムであって、前記複数の分割領域毎に対応して設けられ、前記複数の分割領域毎の表示をそれぞれ独立に制御する複数の表示制御部を有し、前記複数の表示制御部の各々は、前記複数の分割領域毎の表示スケジュールデータに基づいて、自身に対応する分割領域に表示するためのコンテンツ表示用画像データを生成する。
【００１４】
この構成により、各表示制御部で生成されたコンテンツ表示用画像データに基づくコンテンツが、ディスプレイ上の各表示制御部に対応する分割領域に表示されるため、各分割領域の表示を独立に変化させることができる。したがって、ディスプレイ上に表示するコンテンツの編成の自由度を向上させることができる。
【００１５】
又、複数の分割領域毎の表示スケジュールデータに基づいて、各分割領域の表示が独立に制御されるため、複数の分割領域を含むディスプレイ全体に表示させるコンテンツ作成に要する労力や時間を大幅に削減することができる。したがって、ディスプレイ上に表示するコンテンツの編成の自由度の向上を低コストで実現することができる。
【００１６】
又、本発明の表示システムは、前記複数の表示制御部には、ＨＴＭＬで記述されたコンテンツから前記コンテンツ表示用画像データを生成するものと、流動表示用のコンテンツから前記コンテンツ表示用画像データを生成するものとを含む。
【００１７】
この構成により、ディスプレイ上の複数の分割領域には、ＨＴＭＬに基づくコンテンツと流動表示するコンテンツとが、それぞれ異なる表示制御部の制御によって表示される。このため、例えば、ＨＴＭＬに基づくコンテンツが更新された場合でも、流動表示するコンテンツは独立して表示されるため、効率良く、コンテンツの表示を行うことができる。
【００１８】
又、本発明の表示システムは、前記複数の分割領域毎の表示スケジュールデータが、前記複数の分割領域毎の形状を指定する形状指定データを含む。
【００１９】
この構成により、複数の表示制御部の各々が、自身に対応する分割領域の形状も考慮してコンテンツ表示用画像データを生成するため、各領域の形状を独立に更新することが可能となり、各分割領域の形状を更新するために必要な情報量や処理量を低く抑えることができる。したがって、ディスプレイ上に表示するコンテンツの編成の自由度の向上を低コストで実現することができる。
【００２０】
又、本発明の表示システムは、前記複数の表示制御部の各々が、自身に対応する分割領域の表示スケジュールデータに基づくコンテンツ表示用画像データの生成中に、前記表示スケジュールデータとは異なる表示スケジュールデータが入力された場合、前記異なる表示スケジュールデータに基づくコンテンツ表示用画像データの生成を優先的に行う。
【００２１】
この構成により、表示スケジュールデータとは異なる表示スケジュールデータが入力された場合でも、入力された表示制御部のみが、異なる表示スケジュールデータに基づくコンテンツ表示用画像データの生成を優先的に行うため、表示スケジュールデータでスケジューリングされていない臨時の情報等の表示に要するコストの削減及び表示システム全体の処理負荷の軽減が可能となる。
【００２２】
又、異なる表示スケジュールデータが入力されていないその他の表示制御部の制御する分割領域の表示は、異なる表示スケジュールデータが入力された表示制御部の制御する分割領域の表示と連動して更新されることはないため、各分割領域に表示中の内容が途中で更新されてしまうといった不具合を無くすことができる。
【００２３】
又、本発明の表示システムは、前記複数の分割領域毎の表示スケジュールデータを指定する指定データを外部サーバから受信する受信手段と、前記受信手段で受信した指定データによって指定される表示スケジュールデータを取得する取得手段とを有し、前記複数の表示制御部の各々は、前記取得手段で取得された、自身に対応する分割領域の表示スケジュールデータに基づいて、前記コンテンツ表示用画像データを生成する。
【００２４】
この構成により、表示スケジュールデータを指定する指定データが外部サーバから送信されてくるものであるため、表示システムを遠隔管理することが可能となる。又、表示システムを複数有するようなシステムにおいて、複数の表示システムの一括管理が可能となる。
【００２５】
又、本発明の表示システムは、前記表示スケジュールデータが、前記取得手段からアクセス可能な外部データベースに記録されており、前記取得手段は、前記外部データベースから、前記表示スケジュールデータを取得する。
【００２６】
この構成により、表示システムを複数有するようなシステムを構築した場合、各表示システムによって表示スケジュールデータを共有することができるため、システム構築に要するコストを削減することができる。
【００２７】
又、本発明の表示システムは、前記表示スケジュールデータを記録するデータベースを有し、前記取得手段は、前記データベースから、前記表示スケジュールデータを取得する。
【００２８】
この構成により、内部のデータベースから表示スケジュールデータを取得するため、表示用画像データの生成に要する時間を高速化することができる。
【００２９】
又、本発明の表示システムは、前記指定データは、前記外部サーバ内に、前記ディスプレイの設置される位置に応じて複数種類記録されており、前記受信手段は、前記複数種類の指定データの中から前記ディスプレイの設置される位置に応じて選択された指定データを受信する。
【００３０】
この構成により、ディスプレイの設置される位置に応じて、複数の分割領域の各々に対する表示スケジュールデータが変わるため、ディスプレイの設置する位置に柔軟に対応した情報の提供を行うことができる。
【００３１】
本発明のサーバは、請求項５〜８のいずれか記載の表示システムを少なくとも１つ有するシステムに用いるサーバであって、任意タイミングで、前記指定データを記録する指定データ記録部から、前記任意タイミングに基づいて選択した指定データを取得する指定データ取得手段と、前記指定データ取得手段によって取得した指定データを、前記少なくとも１つの表示システムの各々に送信する送信手段とを備える。
【００３２】
この構成により、複数の分割領域毎の表示スケジュールデータを指定する指定データを表示システムに送信し、該表示システムの分割領域の表示を管理可能なため、従来のように、複数の分割領域をまとめて１つの表示スケジュールデータで管理する場合に比べ、サーバの処理負荷や表示システムに送信する情報量を大幅に削減することができる。したがって、システムの構築に要するコストを大幅に削減することができる。
【００３３】
又、本発明のサーバは、前記少なくとも１つの表示システムの各々によるコンテンツ表示先のディスプレイの設置場所情報を記録する記録部から、前記ディスプレイの設置場所情報を取得する設置場所情報取得手段と、前記指定データを前記ディスプレイの設置場所に応じて複数種類記録する指定データ記録部と、前記複数種類の指定データの中から、前記設置場所情報取得手段により取得した設置場所情報に応じて選択した指定データを取得する指定データ取得手段と、前記指定データ取得手段により取得した指定データを、前記指定データに対応する場所の表示システムに送信する指定データ送信手段とを備える。
【００３４】
この構成により、ディスプレイの設置する位置に柔軟に対応したコンテンツの提供を行うことができる。
【００３５】
本発明の管理プログラムは、ディスプレイ上の複数の分割領域毎に、それぞれ異なるコンテンツを表示するための表示システムを、コンピュータにより管理するためのプログラムであって、前記表示システムは、前記複数の分割領域毎に対応し、前記複数の分割領域毎の表示をそれぞれ独立に制御する複数の表示制御プログラムを有し、前記複数の分割領域毎の表示スケジュールデータを、前記複数の表示制御プログラムの各々に対応付けるステップを有する。
【００３６】
本発明のサーバプログラムは、コンピュータを請求項９又は１０記載のサーバとして機能させるためのプログラムである。
【００３７】
【発明の実施の形態】
（第一実施形態）
図１は、本発明の第一実施形態に係る表示制御システムの構成図である。
表示制御システム１は、特許請求の範囲のサーバに該当するスケジュール管理部２、インターネット等のネットワーク３、特許請求の範囲の表示システムに該当する複数の表示制御装置４ａ〜４ｃ、及び複数のディスプレイ５ａ〜５ｃを備える。
【００３８】
複数のディスプレイ５ａ〜５ｃは、プラズマディスプレイ等の表示装置であり、繁華街のビルボード、駅構内、及び店舗内等の大勢の人が集まる場所に設置され、広告情報やニュース情報等のコンテンツを表示することで、大勢の人に情報を提供するものである。
【００３９】
又、複数のディスプレイ５ａ〜５ｃの各々は、ディスプレイ上の表示領域を複数に分割し、分割した領域毎に異なるコンテンツの表示が可能であり、複数の分割領域毎に適用される表示スケジュールに基づいて、各分割領域の表示や形状（分割の仕方）が独立に切り替わるように構成されている。本実施形態では、ディスプレイ５ａ〜５ｃの各々の表示領域の分割数を最大４つ（ＨＴＭＬで定義されたコンテンツデータに基づくコンテンツを表示する領域×２、流動表示用のコンテンツデータに基づくコンテンツを表示する領域×２）とする。
【００４０】
図２は、本発明の第一実施形態に係る表示制御システムで使用するディスプレイの画面表示例を示す図である。
同図に示したように、ディスプレイには、最大で４つの領域が存在する。図中の領域ｈ１、ｈ２はＨＴＭＬで記述されたコンテンツデータに基づくコンテンツを表示する。領域ｓ１、ｓ２は文字情報等の流動表示を行う。
【００４１】
領域ｈ１、ｈ２、ｓ１、及びｓ２の形状は、ディスプレイの左上を原点Ｏとしたときの座標（Ｘ，Ｙ）を起点とし、その起点から幅Ｗ及び高さＨを設定（座標（Ｘ，Ｙ，Ｗ，Ｈ）に設定）することで決定される。尚、本実施形態では、ディスプレイのサイズを縦４８０×横６４０（単位なし）として説明する。
【００４２】
又、領域ｈ１、ｈ２、ｓ１、及びｓ２にはそれぞれ異なるコンテンツが表示されるが、これらの領域は、従来のように４つの領域を、１つの表示領域をＨＴＭＬで定義した複数のフレームで分割しているのではなく、それぞれが独立した領域として分割されている。即ち、領域毎にコンテンツ表示を行うためのソフトウェアプログラムが起動される構成となっている。
【００４３】
本実施形態では、表示制御装置４ａ〜４ｃ内に予め複数のソフトウェアプログラム（ＨＴＭＬで記述されたコンテンツを表示させるためのブラウザ、流動表示を行わせるためのソフトウェアプログラム等）がインストールされており、表示制御装置４ａ〜４ｃに、上記ソフトウェアプログラムを管理するための管理プログラムをインストールし、この管理プログラムが表示制御装置４ａ〜４ｃによって実行されることで、各ディスプレイ上にコンテンツが表示される。
【００４４】
次に、表示制御システム１の構成について詳細に説明する。尚、表示制御装置４ａ〜４ｃ、ディスプレイ５ａ〜５ｃはそれぞれ同一の構成のため、以下では、スケジュール管理部２、表示制御装置４ａ、及びディスプレイ５ａについて説明する。
【００４５】
図３は、本発明の第一実施形態に係る表示制御システムの内部構成を示す図である。
スケジュール管理部２は、スケジュールデータ記録部２１、スケジュールデータ設定部２２、送信部２３、及びスケジュールデータ解析部２４を備える。
【００４６】
スケジュールデータ記録部２１には、ディスプレイ５ａ上の複数の領域の表示スケジュールを領域毎に指定するためのスケジュールデータが記録されている。スケジュールデータとは、フレームスケジュールデータ（年間、基本の２種類）、表示スケジュールデータ（年間、月間、週間の３種類）、及び特別スケジュールデータの６種類のデータの総称である。以下、各データについて説明する。
【００４７】
［フレームスケジュールデータ］
フレームスケジュールデータとは、ディスプレイ５ａ上の各領域の形状及び各領域に適用する表示スケジュールの種類（番号）を指定するデータであり、年間と基本の２種類が記録されている。
【００４８】
＜基本フレームスケジュールデータ＞
基本フレームスケジュールデータとは、ディスプレイ５ａ上の各領域に適用する表示スケジュール番号と、１日（午前０時を起点とした２４時間）を単位にして、上記各領域の形状を任意の時間帯毎に指定したデータである。
【００４９】
図４は、本発明の第一実施形態に係る基本フレームスケジュールの設定例と、その設定に基づいたディスプレイの表示例を示した図である。
同図に示した例では、８：００〜１２：３０までの間は、ディスプレイが４つの領域に分割され、各領域には、それぞれに指定された表示スケジュールにしたがって映像等の表示が行われる。そして、１２：３０以降は、領域ｈ１だけが表示され、領域ｈ１には、表示スケジュール１にしたがって映像等が表示されることになる。このとき、領域ｈ２、ｓ１、及びｓ２にはコンテンツが表示されていないが、これらは領域の形状を指定する座標を幅Ｗ＝０、高さＨ＝０にすることにより実現する。
【００５０】
＜年間フレームスケジュールデータ＞
年間フレームスケジュールデータとは、１年の特定の月日又は連続した期間の開始月日と終了月日で指定した日付情報と、日付情報により指定した期間に使用する基本フレームスケジュールデータの種類（番号）を指定したデータである。尚、基本フレームスケジュールデータの種類が指定されていない月日については、予め設定されたデフォルトの基本フレームスケジュールデータが自動的に指定される。
【００５１】
図５は、本発明の第一実施形態に係る年間フレームスケジュールデータの設定例と、その設定に基づいた月日に使用される基本フレームスケジュール番号を示した図である。
同図に示した設定例では、１月４日には基本フレームスケジュール１を使用し、８月１３日〜１５日には基本フレームスケジュール２を使用し、それ以外の日にはデフォルトの基本フレームスケジュールが使用されることになる。
【００５２】
［表示スケジュールデータ］
表示スケジュールデータとは、基本フレームスケジュールデータで指定されたディスプレイ５ａ上の各領域に適用される表示スケジュールデータの内容を指定するデータであり、年間、月間、及び週間の３種類が記録されている。
【００５３】
＜年間表示スケジュールデータ＞
年間表示スケジュールデータとは、１年の特定の月日又は連続した期間の開始月日と終了月日で指定した日付情報と、日付情報により指定した期間に使用する基本表示スケジュールデータの種類（番号）を指定したデータである。
【００５４】
基本表示スケジュールデータとは、１日を任意の複数時間帯に区切り、その時間帯毎にディスプレイ５ａ上の各領域に表示するコンテンツの種類（番号）を指定した情報である。
【００５５】
図６は、本発明の第一実施形態に係る基本表示スケジュールデータの設定例を示す図である。
同図に示した設定例では、ディスプレイ５ａ上のいずれかの領域に、１０：００〜１２：００の間はコンテンツデータ１〜１０に基づくコンテンツ表示を順次行い、１２：００〜１４：００の間はコンテンツデータ１１〜１００に基づくコンテンツ表示を順次行うよう指定されている。
【００５６】
尚、年間表示スケジュールデータでは、基本表示スケジュールデータの代わりに、後述する月間表示スケジュールデータ又は週間表示スケジュールデータの種類を指定することもできる。又、基本表示スケジュールデータの種類を指定しないことも可能であり、この場合、指定されていない月日には、ディスプレイ５ａには何も表示されない。
【００５７】
＜月間表示スケジュールデータ＞
月間表示スケジュールデータとは、任意月内の特定日又は任意の開始日と終了日により特定される連続した期間に使用する基本表示スケジュールの種類を指定した情報である。尚、月間表示スケジュールデータでは、基本表示スケジュールデータの代わりに、週間表示スケジュールデータの種類を指定することもできる。又、基本表示スケジュールデータの種類を指定しないことも可能であり、この場合は、指定されていない月日には、ディスプレイ５ａには何も表示されない。
【００５８】
＜週間表示スケジュールデータ＞
週間表示スケジュールデータとは、任意の週内の特定の曜日又は任意の開始曜日と終了曜日により特定される連続した期間に使用する基本表示スケジュールデータの種類を指定したデータである。又、基本表示スケジュールデータの種類を指定しないことも可能であり、この場合、指定されていない曜日にはディスプレイ５ａには何も表示されない。
【００５９】
図７は、本発明の第一実施形態に係る年間表示スケジュールデータの設定例と、その設定に基づいた月日に使用される基本表示スケジュールデータ番号を示した図である。
同図に示した設定例では、年間表示スケジュールデータにおいて２００２年１月１日から１２月３１日までの１年間は月間表示スケジュール１が指定されている。又、月間表示スケジュール１は、１月〜１２月までの毎月の前半（１日〜１５日）には週間表示スケジュール１が指定され、後半（１６日〜ＬＡＳＴ）には週間表示スケジュール２が指定されている。更に、週間表示スケジュール１及び週間表示スケジュール２は、月曜日〜日曜日まで同図のように基本表示スケジュールデータの番号が指定されている。
【００６０】
この結果、２００２年の毎月の前半は、週間表示スケジュール１にしたがってコンテンツの表示が行われ、後半は、週間表示スケジュール２にしたがってコンテンツの表示が行われることになる。
【００６１】
＜特別スケジュールデータ＞
特別スケジュールデータとは、ディスプレイ５ａ上の各領域に適用される基本表示スケジュールの内容を任意のタイミングで一時的に変更するために、ディスプレイ５ａ上に表示させるコンテンツデータの番号、そのコンテンツデータに基づくコンテンツの表示開始日時、及びその表示時間を指定したデータである。尚、ここで指定されたコンテンツデータに基づくコンテンツは、ディスプレイ５ａの全体（全表示領域）に表示される。
【００６２】
尚、スケジュールデータ記録部２１には、上記説明したスケジュールデータをディスプレイ５ａの設置場所に応じて複数種類記録しておくことが可能である。例えば、ディスプレイ５ａが名古屋に設置される場合は、名古屋用のスケジュールデータと全国共通のスケジュールデータとを記録しておくことが可能である。
【００６３】
又、スケジュールデータ記録部２１は、スケジュール管理部２からスケジュールデータを取得可能であれば良く、例えば、ネットワーク３に接続可能な外部サーバ内等に設けてあっても良い。
【００６４】
スケジュールデータ設定部２２は、ユーザから設定されたスケジュールデータをスケジュールデータ記録部２１に記録する。尚、スケジュールデータ設定部２２はスケジュール管理部２内でなくとも良く、例えば、ネットワーク３に接続可能な外部サーバに設けてあっても良い。
【００６５】
スケジュールデータ解析部２４は、スケジュールデータ記録部２１に記録されているスケジュールデータを、運用当日の日付とディスプレイ５ａの設置場所に応じて解析し、運用当日の日付におけるディスプレイ５ａの各領域の形状（領域の分割の仕方）を指定する座標、及び、運用当日の日付におけるディスプレイ５ａの各領域に適用する基本表示スケジュール番号を決定し、取得する。尚、スケジュールデータ解析部２４は、１日に１回、上記解析を行う。
【００６６】
又、ディスプレイ５ａの設置場所の情報は、直接ディスプレイ５ａを制御する表示制御装置４ａに問い合わせて取得したり、スケジュール管理部２内にある図示しない記録部に、システムを構成するディスプレイの設置場所情報を記録しておき、ここから取得したりする。
【００６７】
送信部２３は、スケジュールデータ解析部２４で取得された座標情報及び各領域に適用する基本表示スケジュール番号情報を、ネットワーク３を介して表示制御装置４ａに配信する。
【００６８】
管理プログラムによって動作する表示制御装置４ａは、基本表示スケジュールデータ記録部４１、受信部４４、４つの表示スケジュール制御部４２ａ〜４２ｄ、及び４つの表示制御部４３ａ〜４３ｄを備える。尚、表示制御装置４ａは例えばパーソナルコンピュータ（ＰＣ）であり、ＰＣにインストールされているＯＳに基づいて各種機能が管理される。
【００６９】
尚、表示スケジュール制御部４２ａ及び表示制御部４３ａは、図２に示した領域ｈ１に、表示スケジュール制御部４２ｂ及び表示制御部４３ｂは、図２に示した領域ｈ２に、表示スケジュール制御部４２ｃ及び表示制御部４３ｃは、図２に示した領域ｓ１に、表示スケジュール制御部４２ｄ及び表示制御部４３ｄは、図２に示した領域ｓ２に対応する。
【００７０】
又、本実施形態では、表示制御部４３ａ及び表示制御部４３ｂはブラウザ、表示制御部４３ｃ及び表示制御部４３ｄは流動表示用のソフトウェアプログラムのことを示す。
【００７１】
基本表示スケジュールデータ記録部４１には、上述した基本表示スケジュールデータと、該基本表示スケジュールデータによって指定されるコンテンツデータ番号に対応したコンテンツデータとが記録されている。又、ここに記録される基本表示スケジュールデータは、表示制御装置４ａから直接記録するようにしても良いし、スケジュール管理部２からネットワーク３を介して記録するようにしても良い。
【００７２】
尚、基本表示スケジュールデータ記録部４１は、表示スケジュール制御部４２ａ〜４２ｄの各々からアクセス可能であれば良く、例えば、ネットワーク３を介して接続可能な外部サーバに設けても良い。
【００７３】
このようにすることで、基本表示スケジュールデータを表示制御システム１を構成する複数の表示制御装置によって共有することができるため、システム構築に要するコストを削減することができる。又、基本表示スケジュールデータを変更した場合に、その変更が全ての表示制御装置に対して有効となるため、複数の表示制御装置を一括管理することができる。
【００７４】
受信部４４は、スケジュール管理部２から配信されてきた座標情報及び基本表示スケジュール番号情報（指定データ）を受信する。
【００７５】
表示スケジュール制御部４２ａは、受信部４４で受信した座標情報及び基本表示スケジュール番号情報から、自身に対応する領域ｈ１に適用される時間帯毎の座標情報及び基本表示スケジュール番号情報を抽出し、座標情報及び基本表示スケジュールデータ番号情報を表示制御部４３ａに対応付ける。尚、表示スケジュール制御部４２ａ〜４２ｄは、管理プログラムが実行されることで実現される機能のことを示している。
【００７６】
即ち、本実施形態の表示制御装置には、大きく分けて２つのプログラムが存在する。１つは、上記座標情報及び基本表示スケジュール番号情報に基づいてコンテンツ表示のための制御を行う表示制御プログラム（表示制御部に該当）、もう１つは、表示制御プログラムに対して、上記座標情報及び基本表示スケジュール番号情報を対応付ける管理プログラム（表示スケジュール制御部に該当）である。このため、表示制御装置内には、表示制御プログラム及び管理プログラム等のプログラムを格納するメモリ（不図示）を有する。
【００７７】
尚、他の表示スケジュール制御部も同様に、自身に対応する領域に応じて座標情報及び基本表示スケジュール番号情報を抽出することで、座標情報及び基本表示スケジュールデータ番号情報の表示制御部への対応付けを行う。
【００７８】
表示制御部４３ａは、表示スケジュール制御部４２ａから対応付けられた座標情報及び基本表示スケジュール番号情報に基づいて、コンテンツの表示制御を行う。具体的には、座標情報及び基本表示スケジュール番号情報に基づいて、指定されたコンテンツの表示用データを生成し、生成した表示用データをＯＳに伝達する。
【００７９】
以上説明した表示制御システムの動作について以下に説明する。
図８は、本発明の第一実施形態に係る表示制御システムの動作を説明するためのシーケンスチャートである。
スケジュール管理部２は、運用当日の日付に基づいて、スケジュールデータ記録部２１に記録されているスケジュールデータの解析を行う（Ｓ８０１）。解析の結果、任意時間帯毎に指定されるディスプレイ５ａ上の各領域の座標と、各領域に適用する基本表示スケジュール番号を決定して取得し（Ｓ８０２）、取得した座標情報と基本表示スケジュール番号情報を表示制御装置４ａに配信する（Ｓ８０３）。
【００８０】
座標情報及び基本表示スケジュール番号情報を配信した後は、運用当日の日付を監視し、日付が更新されたかどうか判断する（Ｓ８０６）。日付が更新されていない場合（Ｓ８０６：ＮＯ）は、日付が更新されるまで待機する（Ｓ８０７）。一方、日付が更新された場合（Ｓ８０６：ＹＥＳ）は、Ｓ８０１に移行し、以上の動作を繰り返す。
【００８１】
座標情報及び基本表示スケジュール番号情報を受信した表示制御装置４ａでは、各表示スケジュール制御部が、自身に対応する領域の時間帯毎の座標情報と自身に対応する領域に適用する基本表示スケジュール番号情報を、取得した情報から抽出して、各表示制御部に対応付ける（Ｓ８０４）。そして、各表示制御部が、対応付けられた座標情報や基本表示スケジュールデータ番号情報に基づいて領域毎の表示制御を行う（Ｓ８０５）。
【００８２】
次に、図８のＳ８０５における表示切り替えシーケンスを詳細に説明する。
図９は、本発明の第一実施形態に係る表示制御システムの表示制御装置内の動作を説明するためのシーケンスチャートである。尚、同図には、ディスプレイ５ａの表示画面イメージも併せて図示してある。以下の説明では、初期状態として、ディスプレイ５ａがイメージＡのような画面構成となっており、領域ｈ１にはデフォルトのコンテンツが表示されているものとする。
【００８３】
表示スケジュール制御部４２ａは、Ｓ８０４で抽出した基本表示スケジュールデータ番号情報に基づいて、基本表示スケジュールデータを取得する（Ｓ９０１）。その後、指定された時間になると、領域ｈ１の座標情報“ｈ１＝（０，０，６４０，２４０）”を表示制御部４３ａに入力し、座標設定要求を行う（Ｓ９０２）。尚、他の領域の座標は、同じ時刻において、全てｈ２＝（０，０，０，０）、ｓ１＝（２４０、０、６４０、１２０）、ｓ２＝（３６０、０、６４０、１２０）に設定されているものとする。
【００８４】
要求を受けた表示制御部４３ａは、この要求に応じ、設定された座標情報を読み込む（Ｓ９０３）。表示スケジュール制御部４２ａは、座標設定要求を行った後、基本表示スケジュールデータで指定されている領域ｈ１に表示するコンテンツデータ１を表示制御部４３ａに入力し、コンテンツデータ１の読み込み要求を行う（Ｓ９０４）。そして、要求を受けた表示制御部４３ａは、コンテンツデータ１を読み込み、Ｓ９０３で読込んだ座標情報とコンテンツデータ１とに基づいてコンテンツデータ１を領域ｈ１に表示するためのコンテンツ表示用データを生成する（Ｓ９０５）。生成されたコンテンツ表示用データは、ＯＳに伝達される。
【００８５】
尚、Ｓ９０２又はＳ９０４における要求が行われてから、所定の読み込み待ち時間経過後、基本表示スケジュールに基づく表示スケジュール制御部４２ａからの表示切り替え指示により、ＯＳがコンテンツ表示用データに基づいて表示切り替えを実行する。そして、領域ｈ１の形状及び表示が切り替わり、イメージＢに示したような画面がディスプレイ上に表示される。
【００８６】
続いて、基本表示スケジュールに基づく所定の時間経過後、表示スケジュール制御部４２ａは、領域ｈ１に表示するコンテンツデータ２の読み込み要求を表示制御部４３ａに対して行う（Ｓ９０６）。要求を受けた表示制御部４３ａは、コンテンツデータ２を読み込み、コンテンツデータ２からコンテンツ表示用データを生成する（Ｓ９０７）。生成されたコンテンツ表示用データはＯＳに伝達される。
【００８７】
Ｓ９０６における要求が行われてから、所定の読み込み待ち時間経過後、基本表示スケジュールに基づく表示スケジュール制御部４２ａからの表示切り替え指示により、ＯＳがコンテンツ表示用データに基づいて表示切り替えを実行する。そして、領域ｈ１の表示が切り替わり、イメージＣに示したような画面がディスプレイ上に表示される。
【００８８】
表示制御装置４ａは、スケジュール管理部２から送信されてきた時間帯毎に指定される座標情報、及び基本表示スケジュールデータ番号情報に基づく基本表示スケジュールデータにしたがって、以上のような処理を行うことで、領域ｈ１の形状や表示内容を任意のタイミングで順次切り替える。
【００８９】
尚、図９では、領域ｈ１についての処理のみ説明したが、他の領域ｈ２、ｓ１、及びｓ２についても、図９で説明したものと同様の処理が行われる。
【００９０】
以上のように、本実施形態によれば、ディスプレイ５ａ上の４つの分割領域が、各々に対応付けられた座標や基本表示スケジュールデータに基づいて、別々のソフトウェアプログラムにより独立に制御される。このため、４つの領域のうち、１つの領域に表示するコンテンツや１つの領域に適用する基本表示スケジュールを更新したい場合等には、その領域に適用される基本表示スケジュールデータを更新するだけで、１つの領域だけの形状や表示を更新することができる。したがって、従来のように、他の領域に表示中のコンテンツが、コンテンツを更新したい領域と連動して切り替わってしまうといった問題点を無くすことができる。
【００９１】
又、本実施形態によれば、４つの領域を１つのＨＴＭＬページ内のフレーム分割機能で分割するのではなく、４つの領域の各々を別々の定義にしたがって作成した別々のコンテンツとして実現しているため、従来のように、１つのＨＴＭＬページ内で複数フレームの定義を設定する場合に比べ、効率良くコンテンツの編成を行うことができる。
【００９２】
又、ユーザにより設定可能なデータとして、フレームスケジュールデータや表示スケジュールデータがあるが、これらのデータは、その内容を細分化（年間から月間、月間から週間等）して設定することができるため、極め細やかなスケジューリングを、簡単に設定することが可能となる。
【００９３】
又、本実施形態によれば、４つの領域の各々の形状が、任意のタイミングでそれぞれ独立に更新されるため、各領域の表示内容を独立して更新できるだけでなく、各領域の形状、即ち、ディスプレイの画面レイアウトも簡単に変更することができる。したがって、画面編成（ディスプレイに表示するコンテンツの編成）の自由度を従来よりも大幅に向上させることができる。
【００９４】
又、本実施形態によれば、４つの領域の表示がそれぞれ別々のソフトウェアによって制御されているため、従来のように１つのＨＴＭＬページ内をフレーム分割して各フレームにコンテンツを表示する場合に比べ、４つの領域の各々の表示品質を向上させることができる。
【００９５】
尚、本実施形態では、スケジュールデータ記憶部２１に、ディスプレイ５ａ〜５ｃの設置場所に応じた種類分のフレームスケジュールデータを記録しておき、スケジュール管理部２４が、各表示制御装置に座標情報及び表示スケジュールデータ番号情報を配信する際に、各表示制御装置が制御するディスプレイの設置場所に応じた情報を、各表示制御装置に配信するようにしても良い。
【００９６】
この場合は、表示制御装置４ａ〜４ｃの各々の基本スケジュールデータ記録部にも、全国共通の基本表示スケジュールデータ及びコンテンツデータと、地域毎の基本表示スケジュールデータ及びコンテンツデータとを記録しておく。
【００９７】
このようにすることで、ディスプレイの設置場所に応じて、各ディスプレイの表示スケジュールやコンテンツを変更することが可能なため、ディスプレイの設置場所に依存しない、柔軟なシステムを構築することができる。
【００９８】
又、本実施形態では、スケジュール管理部２がネットワーク３を介して複数の表示制御装置を管理する構成としているが、複数の表示制御装置の各々に、それぞれスケジュール管理部を設けた一体型の構成としても良い。
【００９９】
（第二実施形態）
本発明の第二実施形態に係る表示制御システムは、第一実施形態で説明した表示制御システムに、ディスプレイ上の所定領域に所定情報を所定タイミングで割り込ませて表示させる割り込み表示機能を付加したものである。
【０１００】
本実施形態のシステム構成は、図１及び図３に示したものと同様であるが、以下、付加された割り込み機能についての動作について説明する。
図１０は、本発明の第二実施形態に係る表示制御システムにおける割り込み制御動作を説明するためのフローチャートである。
【０１０１】
まず、管理者等により、割り込みスケジュールデータ（割り込ませるコンテンツデータ、割り込み対象となる領域、割り込ませる日時、割り込み表示時間、割り込み対象となるディスプレイ、及び割り込み対象となる領域の座標を指定するデータ）が入力されると、スケジュールデータ設定部２２は、割り込ませるコンテンツデータを基本表示スケジュールデータ記録部４１に番号を付して記録すると共に、割り込ませるコンテンツデータを除いた割り込みスケジュールデータをスケジュールデータ記憶部２１に記憶する（Ｓ１００１）。
【０１０２】
スケジュールデータ解析部２４は、割り込みスケジュールデータによって指定された日付になると、スケジュールデータ記憶部２１に記憶された割り込みスケジュールデータを読み出し、割り込みを行うディスプレイを制御する表示制御装置を特定し、上記コンテンツデータを割り込ませる領域を指定するデータ、コンテンツデータ番号を指定するデータ、割り込ませる領域の座標を指定するデータ、割り込み時刻を指定するデータ、及び割り込み表示時間を指定するデータを含めた割り込み通知データを作成する（Ｓ１００２）。作成された割り込み通知データは、送信部２３により、上記特定された表示制御装置（ここでは表示制御装置４ａとする）に配信される（Ｓ１００３）。
【０１０３】
割り込み通知データを受信した表示制御装置４ａでは、各表示スケジュール制御部が、上記割り込み通知データが自身の制御する領域に対するものであるか否か判断する。自身に対応する割り込み通知でなければ（Ｓ１００４：ＮＯ）、その割り込み通知データについては何も行わず、基本表示スケジュールにしたがって表示制御部にコンテンツの表示制御を行わせる（Ｓ１００５）。
【０１０４】
一方、自身に対応する割り込み通知であれば（Ｓ１００４：ＹＥＳ）、その割り込み通知データを読み込む（Ｓ１００６）。尚、ここでは、領域ｈ１に対する割り込みを指定する情報であるものとする。
【０１０５】
表示スケジュール制御部４２ａは、割り込み通知データにより指定された時刻になると、割り込み通知データに基づいて割り込み動作を行う（Ｓ１００７）。
【０１０６】
次に、図１０のＳ１００７における割り込み動作を詳細に説明する。
図１１は、本発明の第二実施形態に係る表示制御システムの表示制御装置内の割り込み制御動作を説明するためのシーケンスチャートである。尚、同図には、ディスプレイ５ａの表示画面イメージも併せて図示してある。以下の説明では、初期状態として、ディスプレイ５ａがイメージＤのような画面レイアウトとなっており、各領域には表示スケジュールにしたがって、様々なコンテンツが表示されているものとする。
【０１０７】
領域ｈ１にコンテンツ１が表示されている状態（Ｓ１１０１）で、割り込み通知データにより指定された時刻になると（Ｓ１１０１）、表示スケジュール制御部４２ａは、割り込み通知データにより指定された領域ｈ１の座標情報“ｈ１＝（０，０，６４０，４８０）”を表示制御部４３ａに入力し、座標設定要求を行う（Ｓ１１０２）。尚、他の領域の座標は、同じ時刻において、ｈ２＝（０，０，０，０）、ｓ１＝（０、０、０、０）、ｓ２＝（０、０、０、０）に設定されているものとする。
【０１０８】
要求を受けた表示制御部４３ａは、設定された座標情報を読み込む（Ｓ１１０３）。表示スケジュール制御部４２ａは、座標設定要求を行った後、割り込み通知データにより指定されているコンテンツデータ番号（Ｗとする）を表示制御部４３ａに入力し、コンテンツデータ番号Ｗに対応したコンテンツ（割り込みコンテンツという）の読み込み要求を行う（Ｓ１１０４）。要求を受けた表示制御部４３ａは、割り込みコンテンツデータを読込み、上記読込んだ座標情報と割り込みコンテンツデータとに基づいて、割り込みコンテンツデータを領域ｈ１に表示するためのコンテンツ表示用データを生成する（Ｓ１１０５）。生成されたコンテンツ表示用データはＯＳに伝達される。
【０１０９】
そして、Ｓ１１０２又はＳ１１０４における要求が行われてから所定の読み込み待ち時間経過後、割り込み通知データに基づく表示スケジュール制御部４２ａからの表示切り替え指示により、ＯＳがコンテンツ表示用データに基づいて表示切り替えを実行する。そして、領域ｈ１、ｈ２の形状及び表示が切り替わり、ディスプレイは、イメージＥのような画面レイアウトに更新される。
【０１１０】
割り込み通知データによって指定された表示時間が経過すると、表示スケジュール制御部４２ａは、領域ｈ１の座標情報“ｈ１＝（０，０，３２０，２４０）”を表示制御部４３ａに入力し、座標設定要求を行う（Ｓ１１０６）。尚、他の領域の座標は、同じ時刻において、ｈ２＝（２４０，３２０，３２０，２４０）、ｓ１＝（２４０、０、６４０、１２０）、ｓ２＝（３６０、０、６４０、１２０）に設定されている。
【０１１１】
要求を受けた表示制御部４３ａは、設定された座標情報を読み込む（Ｓ１１０７）。更に、表示スケジュール制御部４２ａは、現在時刻に対応するコンテンツデータ（ここではコンテンツデータ１）の読み込み要求を表示制御部４３ａに行い（Ｓ１１０８）、表示制御部４３ａは、コンテンツデータ１を読み込み、読込んだ座標情報とコンテンツデータ１とに基づいて、コンテンツデータ１のコンテンツ表示用データを生成する（Ｓ１１０９）。生成されたコンテンツ表示用データはＯＳに伝達される。
【０１１２】
Ｓ１１０６又はＳ１１０８における要求が行われてから所定の読み込み待ち時間経過後、割り込み通知データに基づく表示スケジュール制御部４２ａからの表示切り替え指示により、ＯＳがコンテンツ表示用データに基づいて表示切り替えを実行する。そして、領域ｈ１、ｈ２の形状及び表示が切り替わり、ディスプレイは、イメージＦのような画面レイアウト、つまりイメージＤと同様の画面レイアウトに戻る。
【０１１３】
その後、表示制御装置４ａは、表示スケジュール制御部４２ａが割り込み通知データを読み込む毎に、上記Ｓ１１０１〜Ｓ１１０９までの動作を行う。
【０１１４】
尚、本実施形態では、割り込みコンテンツを、ディスプレイ５ａの全体に表示するように指定された場合の動作についてのみ説明したが、ディスプレイ５ａの４つの領域の少なくとも１つに、割り込み機能により割り込みコンテンツを表示させることも可能である。
【０１１５】
この場合は、各表示スケジュール制御部が自身に対応する割り込み通知データを読み込み、対応する表示制御部を制御して、割り込み動作を行う。
【０１１６】
又、１つの割り込みコンテンツを表示中に、更に割り込み通知データが配信されてきた場合は、表示スケジュール制御部４２ａが、割り込み通知データの割り込み優先度を確認し、優先度の高い割り込みを順次優先して、表示させるようにする。このために、スケジュールデータ設定部２２においては、管理者により設定可能な割り込みスケジュールデータとして、その割り込みの優先度情報も設定できるようにしておく。
【０１１７】
以上のように本実施形態によれば、ディスプレイ５ａ上の領域ｈ１、ｈ２、ｓ１、及びｓ２の各々に適用される表示スケジュールにしたがってコンテンツの表示が行われている状態で、任意の時刻に任意の領域にのみ割り込みを行い、割り込みコンテンツを表示させることができる。このため、災害情報等の表示スケジュールでスケジューリングされていない緊急情報を、任意の領域に表示させることが可能となる。
【０１１８】
又、この緊急情報を表示させる領域の形状（座標）も任意に設定可能なため、本実施形態のように、割り込みコンテンツをディスプレイ５ａの全表示領域に表示させることで、重要な情報をより目立たせて表示することができる。
【０１１９】
又、本実施形態のように、割り込みを行いたい領域が１つである場合でも、その割り込み対象領域についてのみの表示スケジュールを一時的に変更するだけで良いため、従来のように、１つの領域を変更する場合でも、４つの領域を構成するＨＴＭＬページを全て新しいＨＴＭＬページに替える必要がない。したがって、スケジュール管理部２から配信する割り込み通知データのデータ量を削減することができる。
【０１２０】
又、表示制御装置４ａ側でも、割り込み対象となる領域に対応するスケジュール制御部及び表示制御部だけが動作すれば良いため、表示制御装置の処理負荷も軽減することができる。以上により、システム全体としての処理負荷が軽減され、システム全体のパフォーマンスを向上させることができる。
【０１２１】
特に、システムを構成する全ての表示制御装置４ａ〜４ｃに割り込み通知データを一斉に配信する際に、上記のような効果は大きくなる。この場合は、割り込み対象となる領域に対してのみの割り込み通知データを一斉に全表示制御装置に配信するだけなので、従来に比べ、通信量が大幅に削減できる。特に、緊急情報等を表示したい場合は、ネットワークの通信トラフィックの増大により、繁華街にいる人達への緊急情報の通知が遅れるといったことを防ぐことができる。
【０１２２】
【発明の効果】
本発明によれば、ディスプレイに表示するコンテンツの編成にかかるコストを低く抑えながら、そのコンテンツの編成の自由度を向上させることが可能な表示システムを提供することができる。
【図面の簡単な説明】
【図１】本発明の第一実施形態に係る表示制御システムの構成図である。
【図２】本発明の第一実施形態に係る表示制御システムで使用するディスプレイの表示画面例を示す図である。
【図３】本発明の第一実施形態に係る表示制御システムの内部構成を示す図である。
【図４】本発明の第一実施形態に係る基本フレームスケジュールの設定例と、その設定に基づいたディスプレイの表示画面例を示した図である。
【図５】本発明の第一実施形態に係る年間フレームスケジュールデータの設定例と、その設定に基づいた月日に使用される基本フレームスケジュール番号を示した図である。
【図６】本発明の第一実施形態に係る基本表示スケジュールデータの設定例を示す図である。
【図７】本発明の第一実施形態に係る年間表示スケジュールデータの設定例と、その設定に基づいた月日に使用される基本表示スケジュールデータ番号を示した図である。
【図８】本発明の第一実施形態に係る表示制御システムの動作を説明するためのシーケンスチャートである。
【図９】本発明の第一実施形態に係る表示制御システムの表示制御装置内の動作を説明するためのシーケンスチャートである。
【図１０】本発明の第二実施形態に係る表示制御システムにおける割り込み制御動作を説明するためのフローチャートである。
【図１１】本発明の第二実施形態に係る表示制御システムの表示制御装置内の割り込み制御動作を説明するためのシーケンスチャートである。
【符号の説明】
１  表示制御システム
２  スケジュール管理部
３  ネットワーク
４ａ〜４ｃ  表示制御装置
５ａ〜５ｃ  ディスプレイ
２１  スケジュールデータ記憶部
２２  スケジュールデータ設定部
２３  送信部
２４  スケジュールデータ解析部
４１  基本スケジュールデータ記録部
４２  受信部
４２ａ〜４２ｄ  表示スケジュール制御部
４３ａ〜４３ｄ  表示制御部
ｈ１、ｈ２  ＨＴＭＬで記述されたコンテンツを表示する領域
ｓ１、ｓ２  流動表示用のコンテンツを表示する領域
【図１】
2004198796.tif 000003
【図２】
2004198796.tif 000004
【図３】
2004198796.tif 000005
【図４】
2004198796.tif 000006
【図５】
2004198796.tif 000007
【図６】
2004198796.tif 000008
【図７】
2004198796.tif 000009
【図８】
2004198796.tif 000010
【図９】
2004198796.tif 000011
【図１０】
2004198796.tif 000012
【図１１】
2004198796.tif 000013